(57)【要約】【課題】スクリーン上の映像を打者から見やすくした投球装置を提供すること。【解決手段】本発明では、スクリーンの後方にプロジェクタとピッチングマシンとを配設し、プロジェクタによってスクリーンに投球動作を映写するとともに、その投球動作に同期してピッチングマシンからスクリーンの前方の打席に向けて球を投出す投球装置において、プロジェクタは、スクリーンの後方からスクリーンに向けて右又は左斜めに映写するように配置することにした。【選択図】          図１
2004344234.tif 000002
【特許請求の範囲】
【請求項１】
スクリーンの後方にプロジェクタとピッチングマシンとを配設し、プロジェクタによってスクリーンに投球動作を映写するとともに、その投球動作に同期してピッチングマシンからスクリーンの前方の打席に向けて球を投出す投球装置において、
プロジェクタは、スクリーンの後方からスクリーンに向けて右又は左斜めに映写するように配置したことを特徴とする投球装置。
【請求項２】
前記プロジェクタは、打席に形成したバッターボックスに向けて映写するように配置したことを特徴とする請求項１に記載の投球装置。
【請求項３】
前記プロジェクタは、打席に形成したホームベースの真正面よりもピッチングマシンの反対側にオフセットした位置に配置したことを特徴とする請求項１又は請求項２に記載の投球装置。
【請求項４】
前記プロジェクタは、左右の傾斜角度を変更できるように配置したことを特徴とする請求項１〜請求項３のいずれかに記載の投球装置。
【請求項５】
前記プロジェクタは、高さを変更できるように配置したことを特徴とする請求項１〜請求項４のいずれかに記載の投球装置。
【発明の詳細な説明】
【０００１】
【発明の属する技術分野】
本発明は、投球装置に関するものである。特に、プロジェクタによってスクリーンに投球動作を映写するとともに、その投球動作に同期してピッチングマシンからスクリーンの前方の打席に向けて球を投出す投球装置に関するものである。
【０００２】
【従来の技術】
近年、バッティングセンターに設置される打撃練習器具として、投手の投球動作をスクリーンに写し出すとともに、その投球動作に同期して打者に向けて球を投出す投球装置が使用されるようになってきた。
【０００３】
この投球装置は、スクリーンの後方にプロジェクタとピッチングマシンとを配設し、プロジェクタによってスクリーンに投球動作を映写するとともに、その投球動作に同期してピッチングマシンからスクリーンの前方の打席に向けて球を投出すように構成していた（たとえば、特許文献１、特許文献２参照）。
【０００４】
そして、かかる投球装置では、打席に形成したホームベースの真正面にプロジェクタを配置していた。
【０００５】
【特許文献１】
特開２００１−２９５２９号公報
【０００６】
【特許文献２】
特開２００２−３６０７５７号公報
【０００７】
【発明が解決しようとする課題】
ところが、上記従来の投球装置にあっては、ホームベースの真正面にプロジェクタを配置していたため、ホームベースの右側又は左側のバッターボックスに立つ打者の視線とプロジェクタからの光線とが平行となっておらず、打者からはスクリーン上の映像が見にくくなっていた。
【０００８】
【課題を解決するための手段】
そこで、請求項１に係る本発明では、スクリーンの後方にプロジェクタとピッチングマシンとを配設し、プロジェクタによってスクリーンに投球動作を映写するとともに、その投球動作に同期してピッチングマシンからスクリーンの前方の打席に向けて球を投出す投球装置において、プロジェクタは、スクリーンの後方からスクリーンに向けて右又は左斜めに映写するように配置することにした。
【０００９】
また、請求項２に係る本発明では、請求項１に係る本発明において、前記プロジェクタは、打席に形成したバッターボックスに向けて映写するように配置することにした。
【００１０】
また、請求項３に係る本発明では、請求項１又は請求項２に係る本発明において、前記プロジェクタは、打席に形成したホームベースの真正面よりもピッチングマシンの反対側にオフセットした位置に配置することにした。
【００１１】
また、請求項４に係る本発明では、請求項１〜請求項３のいずれかに係る本発明において、前記プロジェクタは、左右の傾斜角度を変更できるように配置することにした。
【００１２】
また、請求項５に係る本発明では、請求項１〜請求項４のいずれかに係る本発明において、前記プロジェクタは、高さを変更できるように配置することにした。
【００１３】
【発明の実施の形態】
本発明に係る投球装置は、スクリーンの後方にプロジェクタとピッチングマシンとを配設し、プロジェクタによってスクリーンに投球動作を映写するとともに、その投球動作に同期してピッチングマシンからスクリーンの前方の打席に向けて球を投出すように構成したものである。
【００１４】
プロジェクタは、地上に設置したプロジェクタ載置台に載置しており、かかるプロジェクタ載置台は、プロジェクタを上下及び左右に姿勢変更できるように構成している。
【００１５】
そして、本発明では、プロジェクタをスクリーンの後方からスクリーンに向けて右又は左斜めに映写するように配置している。
【００１６】
これにより、プロジェクタからの光線と打者の視線とが平行となり、打者からスクリーン上の映像を見やすくすることができる。
【００１７】
特に、プロジェクタを打席に形成したバッターボックスに向けて映写するように配置した場合には、打者から見たスクリーン上の映像の輝度が最も高くなり、より一層打者からスクリーン上の映像を見やすくすることができる。
【００１８】
また、プロジェクタを打席に形成したホームベースの真正面よりもピッチングマシンの反対側にオフセットした位置に配置した場合には、ピッチングマシンとスクリーンとの距離を近づけることができ、ピッチングマシンから投出された球がスクリーンに衝突してスクリーンが破損してしまうのを未然に防止することができる。
【００１９】
また、プロジェクタを左右の傾斜角度を変更できるように配置した場合には、右打者用と左打者用とに容易に変更することができる。
【００２０】
また、プロジェクタを高さを変更できるように配置した場合には、大人用と子供用とに容易に変更することができる。
【００２１】
以下に本発明の具体的な実施の形態について図面を参照しながら説明する。
【００２２】
本発明に係る投球装置１は、図１に示すように、バッティングセンターに設けた打席２の正面に配置されており、コントローラ３にピッチングマシン４とプロジェクタ５とを接続し、これらのコントローラ３、ピッチングマシン４、プロジェクタ５をスクリーン６の後方に配置している。
【００２３】
打席２は、ホームベース７の左右側方に打者８が立つ右打者用のバッターボックス９と左打者用のバッターボックス１０とを形成している。
【００２４】
コントローラ３は、予め撮影した投手の投球動作の映像を記憶しており、その映像信号をプロジェクタ５に送信するとともに、所定のタイミングでピッチングマシン４に駆動信号を送信するようになっている。これにより、プロジェクタ５によってスクリーン６に投球動作を映写するとともに、その投球動作に同期してピッチングマシン４からスクリーン６の前方の打席２に向けて球を投出すようにしている。
【００２５】
ピッチングマシン４は、駆動制御可能な構成となっており、コントローラ３からの駆動信号によって球を打席２に立つ打者８に向けて投球するようになっている。
【００２６】
スクリーン６は、半透過型スクリーンであり、プロジェクタ５によって映写された投球動作の映像を打席２に立つ打者８に向けて映像を表示するようになっている。
【００２７】
かかるスクリーン６は、図２及び図３に示すように、地上に固定した支持枠１１でシート状の表示体１２を支持しており、表示体１２の正面視で右側上部にピッチングマシン４から投出された球を通過させるための貫通孔１３を形成している。
【００２８】
支持枠１１の具体的な構造について説明すると、図２及び図３に示すように、支持枠１１は、地上に立設した上下方向に向けて伸延させた左右一対の縦フレーム１４，１５の上端部間及び下部間に左右方向に向けて伸延させた上下一対の横フレーム１６，１７を架設している。
【００２９】
また、支持枠１１は、下側の横フレーム１７の裏側に側面視でＬ字状の載置台１８を取付けており、同載置台１８の上部に表示体１２を載置するようにしている。
【００３０】
そして、支持枠１１は、左右の縦フレーム１４，１５の下端部を地上に座体１９を介して固定している。
【００３１】
一方、表示体１２の具体的な構造について説明すると、図４〜図６に示すように、表示体１２は、上下２枚のポリメチルメタクリレートからなる拡散板２０，２１を前後２枚のポリカーボネイトからなる補強板２２，２３で挟みこんだ３層構造となっており、補強板２２，２３に拡散板２０，２１を両面テープ２４にて貼着している。
【００３２】
拡散板２０，２１は、拡散層と表面層の２層構造となっており、拡散層にはＴｉｎｔ材を混入して画像のコントラストを向上させ、一方、表面層にはマット処理を施すことで写り込みの軽減を図っている。
【００３３】
また、表示体１２の貫通孔１３は、拡散板２０に形成した内側貫通孔２５と補強板２２，２３に形成した外側貫通孔２６とで構成しており、外側貫通孔２６よりも内側貫通
孔２５のほうを大きいサイズとしている。
【００３４】
これにより、貫通孔１３の周囲が補強板２２，２３の外側貫通孔２６で形成されることになり、拡散板２０に形成した内側貫通孔２５が露出しないようにしている。
【００３５】
そのため、ピッチングマシン４から投出された球が表示体１２の貫通孔１３に衝突しても、球は比較的強度の高い補強板２２，２３に衝突し、比較的強度の低い拡散板２０には衝突しないため、拡散板２０が破損してしまうのを未然に防止することができる。
【００３６】
プロジェクタ５は、コントローラ３から送信された映像信号によってスクリーン６に向けて投手の投球動作の映像を映写するようになっている。
【００３７】
そして、プロジェクタ５は、プロジェクタ載置台２７に載置されており、上下及び左右方向に姿勢変更できるようになっている。
【００３８】
すなわち、プロジェクタ載置台２７は、図７に示すように、地上に固定した支持部２８と同支持台２８に昇降自在かつ回動自在に連設した載置部２９とで構成している。
【００３９】
支持部２８は、地上に固定する円盤状の台座３０の中央上部に上下方向に向けて伸延させた円筒状の支持支柱３１を取付け、同支持支柱３１の上部外周に締結具３２を取付けている。
【００４０】
載置部２９は、支持支柱３１の中空部に円柱状の支持杆３３を昇降自在かつ回動自在に挿入し、同支持杆３３の上部に多孔板からなる矩形箱形状の固定籠３４を取付け、同固定籠３４の内部にプロジェクタ５を縦向きに取付けている。図中、３５は締結具である。
【００４１】
そして、プロジェクタ載置台２７は、プロジェクタ５の高さ及び角度を決定した状態で締結具３２によって支持支柱３１と支持杆３３とを締結することによって、プロジェクタ５を任意の高さ及び傾斜角度の設定をすることができるようになっている。
【００４２】
ここで、投球装置１は、図１及び図７に示すように、ホームベース７からホームベース７の真正面へ向かう仮想直線Ｌ１よりも平面視で左側にピッチングマシン４を配置する一方、仮想直線Ｌ１よりも平面視で右側であって、かつ、仮想直線Ｌ１から所定距離Ｌ２だけオフセットした位置にプロジェクタ５を配置している。
【００４３】
しかも、投球装置１は、プロジェクタ５の光線Ｌ３を仮想直線Ｌ１から５℃〜１０℃程傾けており、これにより、プロジェクタ５をスクリーン６の後方からスクリーン６に向けて右斜めに映写するように配置し、さらには、プロジェクタ５を打席２に形成したバッターボックス９に向けて映写するように配置している。
【００４４】
このように、投球装置１は、プロジェクタ５をスクリーン６の後方からスクリーン６に向けて右斜めに映写するように配置しているため、プロジェクタ５からの光線Ｌ３と打者８の視線とが平行となり、打者８からスクリーン６に写し出された映像を見やすくすることができる。
【００４５】
しかも、投球装置１は、プロジェクタ５を打席２に形成したバッターボックス９に向けて映写するように配置しているため、打者８から見るとスクリーン６に写し出された映像の輝度が最も高くなり、より一層打者８からスクリーン６に写し出された映像を見やすくすることができる。
【００４６】
さらに、投球装置１は、プロジェクタ５を打席２に形成したホームベース７の真正面よりもピッチングマシン４の反対側にオフセットした位置に配置しているため、ピッチングマシン４とスクリーン６との距離を近づけてもピッチングマシン４の影がスクリーン６に写りこむことがなくなるので、ピッチングマシン４とスクリーン６との距離を近づけることができ、ピッチングマシン４から投出された球がスクリーン６に衝突してスクリーン６が破損してしまうのを未然に防止することができる。
【００４７】
特に、プロジェクタ載置台２７を用いてプロジェクタ５を左右の傾斜角度を変更できるように配置した場合には、プロジェクタ５の姿勢（映写方向）を右打者用と左打者用とに容易に変更することができる。
【００４８】
また、プロジェクタ載置台２７を用いてプロジェクタ５を高さを変更できるように配置した場合には、プロジェクタ５の高さ（映写高さ）を大人用と子供用とに容易に変更することができる。
【００４９】
【発明の効果】
本発明は、以上に説明したような形態で実施され、以下に記載されるような効果を奏する。
【００５０】
すなわち、請求項１に係る本発明では、プロジェクタをスクリーンの後方からスクリーンに向けて右又は左斜めに映写するように配置しているため、プロジェクタからの光線と打者の視線とが平行となり、打者からスクリーン上の映像を見やすくすることができる。
【００５１】
また、請求項２に係る本発明では、プロジェクタを打席に形成したバッターボックスに向けて映写するように配置しているため、打者から見たスクリーン上の映像の輝度が最も高くなり、より一層打者からスクリーン上の映像を見やすくすることができる。
【００５２】
また、請求項３に係る本発明では、プロジェクタを打席に形成したホームベースの真正面よりもピッチングマシンの反対側にオフセットした位置に配置しているため、ピッチングマシンとスクリーンとの距離を近づけることができ、ピッチングマシンから投出された球がスクリーンに衝突してスクリーンが破損してしまうのを未然に防止することができる。
【００５３】
また、請求項４に係る本発明では、プロジェクタを左右の傾斜角度を変更できるように配置しているため、プロジェクタの映写方向を右打者用と左打者用とに容易に変更することができる。
【００５４】
また、請求項５に係る本発明では、プロジェクタを高さを変更できるように配置しているため、プロジェクタの高さを大人用と子供用とに容易に変更することができる。
【図面の簡単な説明】
【図１】本発明に係る投球装置を示す平面図。
【図２】スクリーンを示す正面図。
【図３】同側面図。
【図４】同分解斜視図。
【図５】同部分拡大図。
【図６】同部分拡大断面図。
【図７】プロジェクタ載置台を示す正面図。
【図８】プロジェクタの傾斜角度を示す説明図。
【符号の説明】
１  投球装置
２  打席
３  コントローラ
４  ピッチングマシン
５  プロジェクタ
６  スクリーン
７  ホームベース
８  打者
９，１０  バッターボックス
１１  支持枠
１２  表示体
２０，２１  拡散板
２２，２３  補強板
２７  プロジェクタ載置台
【図１】
2004344234.tif 000003
【図２】
2004344234.tif 000004
【図３】
2004344234.tif 000005
【図４】
2004344234.tif 000006
【図５】
2004344234.tif 000007
【図６】
2004344234.tif 000008
【図７】
2004344234.tif 000009
【図８】
2004344234.tif 000010